(57)【要約】【課題】連結部を固定する固定ボルトに緩みが生じにくいスライド型携帯電子機器を提供する。【解決手段】スライド型携帯電子機器１０は、上筐体２０および下筐体３０を相対的にスライド移動させる連結部４０を備えている。連結部４０は、下筐体３０に固定されるスライドベース４１と、上筐体２０に固定されるスライドレール４２と、スライドベース４１およびスライドレール４２をスライド方向に付勢する付勢部材４３と、下筐体３０およびスライドベース４１を固定する第１固定ボルト４４と、上筐体２０およびスライドレール４２を固定する第２固定ボルト４５と、第１固定ボルト４４および第２固定ボルト４５の頭部４７を周部に固定する両面テープ４６とを備えている。【選択図】図５
2010157869.tif 000002
【特許請求の範囲】
【請求項１】
第１筐体と、
第２筐体と、
前記第１筐体に固定されるスライドベースと、
前記第２筐体に固定されるスライドレールと、
前記スライドベースおよび前記スライドレールをスライド方向に付勢する付勢部材と、
前記第１筐体と前記スライドベースとを固定するためのねじと、
前記ねじの頭部を前記ねじの周部に固定する接着手段と、を備えるスライド型携帯電子機器。
【請求項２】
前記接着手段が両面テープであるとともに、前記両面テープが前記ねじの頭部と前記ねじの周部との間に位置する請求項１に記載のスライド型携帯電子機器。
【請求項３】
前記接着手段が片面テープであるとともに、前記ねじの頭部と前記ねじの周部とを覆う請求項１に記載のスライド型携帯電子機器。
【請求項４】
前記頭部が所定以上の力で締結されたときに前記ねじの座面が凹凸となるように歪む請求項１ないし請求項３のうちのいずれかに記載のスライド型携帯電子機器。
【発明の詳細な説明】
【技術分野】
【０００１】
本発明は、第１筐体および第２筐体が互いに重なる閉状態と、第１筐体および第２筐体が摺動して伸長する開状態とを選択可能なスライド型携帯電子機器に関するものである。
【背景技術】
【０００２】
従来、箱状の第１筐体と第２筐体とがスライドベースおよびスライドレールで相対的にスライド可能に連結され、第１筐体および第２筐体を円滑にスライド開閉する付勢部材が設けられたスライド型携帯電子機器が知られている。
【０００３】
スライドベースおよびスライドレールに付勢部材を設けることで、第１筐体と第２筐体とが閉じ位置から途中まで使用者がスライドさせて開いたとき、第１筐体および第２筐体を開き位置まで付勢部材で自動的に開くように付勢する。
一方、第１筐体および第２筐体を開き位置から途中まで使用者がスライドさせて閉じたとき、第１筐体および第２筐体を閉じ位置まで付勢部材で自動的に閉じるように付勢する。
【０００４】
ここで、スライドベースおよびスライドレールは、第１筐体、第２筐体にねじでそれぞれ固定されている。
このねじは、第１筐体および第２筐体のスライド方向に対して略直交して設けられている（例えば特許文献１参照）。
【特許文献１】特開２００１−２９２２１３号公報
【発明の開示】
【発明が解決しようとする課題】
【０００５】
しかしながら、ねじは、第１筐体および第２筐体のスライド方向に対して略直交しているため、付勢部材が自動的に開き位置あるいは閉じ位置まで付勢することにより、閉じ位置あるいは開き位置において発生する衝撃がねじの頭部を緩めるように廻す方向に伝わり、固定ボルトが緩む可能性があるという問題があった。
【０００６】
本発明は、前述した課題を解決するためになされたものであり、その目的は、連結部を固定するねじに緩みが生じにくいスライド型携帯電子機器を提供することにある。
【課題を解決するための手段】
【０００７】
本発明のスライド型携帯電子機器は、第１筐体と、第２筐体と、前記第１筐体に固定されるスライドベースと、前記第２筐体に固定されるスライドレールと、前記スライドベースおよび前記スライドレールをスライド方向に付勢する付勢部材と、前記第１筐体と前記スライドベースとを固定するためのねじと、前記ねじの頭部を前記ねじの周部に固定する接着手段と、を備える構成を有している。
【０００８】
ここで、周部としては、ねじの軸部がねじ込まれるスライドベース、スライドレール等の被締結物や、ねじの頭部と被締結物との間に挟み込まれて固定されるカバー、ケース、内部シャーシ、回路基板等の部品を例示できる。
ねじの頭部が接着手段により周部に固定されるため、第１筐体および第２筐体を相対的にスライドさせた際に生じる衝撃がねじに伝わっても、ねじに緩みが生じにくくできる。
【０００９】
また、本発明のスライド型携帯電子機器は、前記接着手段が両面テープであるとともに、前記両面テープが前記ねじの頭部と前記ねじの周部との間に位置する構成を有している。
【００１０】
接着手段として両面テープを用い、この両面テープがねじの頭部とねじの周部との間に位置するため、両面テープの一方の接着面でねじの頭部を接着するとともに、両面テープの他方の接着面で他の部材を接着できる。
これにより、ねじの頭部と他の部材とを両面テープで固定することができ、ねじに緩みが生じにくくできる。
【００１１】
さらに、本発明のスライド型携帯電子機器は、前記ねじの頭部と前記ねじの周部とを覆う構成を有している。
【００１２】
接着手段として片面テープを用い、この片面テープでねじの頭部とねじの周部とを覆うため、ねじの頭部と周部とを片面テープの接着面で接着することができ、頭部を周部に固定してねじに緩みを生じにくくできる。
【００１３】
また、本発明のスライド型携帯電子機器は、前記頭部が所定以上の力で締結されたときに座面が凹凸となるように歪む構成を有している。
【００１４】
頭部を所定以上の力で締結したときに、座面が凹凸となるように歪むようにすることで、頭部および座面間の摩擦力を増大させることができる。
これにより、ねじの頭部を確実に固定することができ、ねじに緩みが生じにくくできる。
【発明の効果】
【００１５】
本発明によれば、スライド動作を繰り返しても壊れにくいスライド型携帯電子機器を提供することができる。
【発明を実施するための最良の形態】
【００１６】
以下、本発明の実施形態の携帯電子機器について、図面を用いて説明する。
図１（Ａ）は本発明の第１実施形態にかかる開状態のスライド型携帯電子機器を上方から見た斜視図、図１（Ｂ）は下方から見た斜視図、図２（Ａ）は本発明の第１実施形態にかかる閉状態のスライド型携帯電子機器を上方から見た斜視図、図２（Ｂ）は下方から見た斜視図、図３は上筐体および下筐体を下筐体側から見た分解斜視図、図４（Ａ）は閉状態の連結部を上方から見た斜視図、図４（Ｂ）は開状態の連結部を上方から見た斜視図、図５は図１（Ｂ）のＡ−Ａ線断面図、図６は第２実施形態を示す断面図、図７（Ａ）は第３実施形態を示す締結前の断面図、図７（Ｂ）は締結後の断面図である。
【００１７】
（第１実施形態）
図１および図２に示すように、スライド型携帯電子機器１０は、矩形箱状をした第１筐体である上筐体２０と、同様に矩形箱状をした第２筐体である下筐体３０と、上筐体２０および下筐体３０を相対的にスライド移動可能に連結する連結部４０（図３、図４参照）とを有している。
【００１８】
上筐体２０は、平面的な枠状をしたアッパーカバー２１と、上部が開口した箱状のアッパーケース２２とを有しており、アッパーケース２２の上端部に開口を囲うようにしてアッパーカバー２１が取り付けられている。アッパーケース２２は開状態において下面に露出する程度の大きさを有しており、アッパーカバー２１の前部のみに設けられている。
また、下筐体３０は、下筐体３０の全面を覆う大きさの矩形箱状のロアケース３２と、ロアケース３２の後端部付近のみを覆うロアカバー３１とを有している。
【００１９】
図２に示すように、閉状態においては、主操作部３５がナビ操作部２４の下方に隠れることになる。
一方、図１に示すように、上筐体２０および下筐体３０を連結部４０によって相対的にスライド移動させた開状態においては、主操作部３５はナビ操作部２４から露出することになり、操作可能となる。
【００２０】
上筐体２０におけるアッパーカバー２１にはＬＣＤによる表示部用の表示窓２３、ナビ操作部２４、レシーバ用切欠き２５、自分撮りカメラ用穴２６等が設けられている。
一方、アッパーケース２２の下面には、相手撮りカメラ用窓２７が設けられている。
【００２１】
ロアカバー３１は下筐体３０の後端部を覆うものであり、複数のキー３３ａを有する操作部３３が操作可能な操作部用窓３４（図１参照）を有している。
一方、ロアケース３２の底面には、電池カバー３５が着脱可能に設けられている。ロアケース３２の前端部には相手撮りカメラ用のカメラ用窓３７が設けられており、ロアケース３２の後端面にはマイク用切欠き３８が設けられている。
【００２２】
図２（Ａ）に示すように、上筐体２０と下筐体３０とが完全に重なった閉状態では、下筐体３０に設けられている操作部３５は完全に隠れており、図１（Ａ）に示すように、上筐体２０および下筐体３０をスライドさせて伸張した開状態にすることにより現れて操作可能となる。
【００２３】
図３に示すように、上筐体２０のアッパーカバー２１とアッパーケース２２で形成される内部空間、および下筐体３０のロアカバー３１とロアケース３２で形成される内部空間に、上筐体２０および下筐体３０をスライド可能に支持する連結部４０が取り付けられている。
【００２４】
連結部４０は、下筐体３０に固定されるスライドベース４１と、上筐体２０に固定されるスライドレール４２と、スライドベース４１およびスライドレール４２をスライド方向に沿って付勢する付勢部材４３（図４参照）と、下筐体３０およびスライドベース４１を固定するための第１固定ボルト４４（ねじ）と、上筐体２０およびスライドレール４２を固定するための第２固定ボルト４５（ねじ）と、第１固定ボルト４４および第２固定ボルト４５を固定する接着手段である両面テープ４６（図５参照）とを備えている。
【００２５】
連結部４０の一部を構成する金属製のスライドレール４２は、上筐体２０のアッパーカバー２１とアッパーケース２２で形成される内部空間に収納された状態で、上筐体２０に４本の第２固定ボルト４５で取り付けられている。
スライドレール４２は全体Ｈ形状をしており、中央の幅広のスライドレール本体４２ａからスライド方向後方（第２筐体移動方向）に突出して一対のスライド支持部４２ｂ、４２ｂが設けられている。
このスライドレール４２は、４本の第２固定ボルト４５によってアッパーカバー２１に締結されている。
【００２６】
一方、スライドレール４２をスライド可能に支持するスライドベース４１は、下筐体３０のロアカバー３１とロアケース３２で形成される内部空間に収納された状態で、下筐体３０に４本の第１固定ボルト４４で取り付けられている。
このスライドベース４１は、４本の第１固定ボルト４４によってロアケース３２に固定されている。
【００２７】
スライドベース４１およびスライドレール４２に付勢部材４３（図４参照）が設けられている。
上筐体２０および下筐体３０に付勢部材４３を設けることで、上筐体２０と下筐体３０とが閉じ位置から途中まで使用者がスライドさせて開いたとき、上筐体２０および下筐体３０を開き位置まで付勢部材で自動的に開くように付勢する。
一方、上筐体２０および下筐体３０を開き位置から途中まで使用者がスライドさせて閉じたとき、上筐体２０および下筐体３０を閉じ位置まで付勢部材で自動的に閉じるように付勢する。
【００２８】
下筐体３０およびスライドベース４１を固定する第１固定ボルト４４は、図３に示すようにスライド方向に対して略直交する方向に締結されている。
上筐体２０およびスライドレール４２を固定する第２固定ボルト４５は、図３に示すように、スライド方向に対して略直交する方向に締結されている。
【００２９】
図５に示すように、第１固定ボルト４４の頭部４７と、周部である他の部材（ロアカバー）３１との間に両面テープ４６が介装されている。
両面テープ４６は、一方の接着面４６ａが頭部４７に接着されるとともに、他方の接着面４６ｂがロアカバー３１に接着されている。
これにより、両面テープ４６で第１固定ボルト４４の頭部４７がロアカバー３１に固定されている。
【００３０】
図３に示す第２固定ボルト４５は、第１固定ボルト４４の頭部４７と、周部である他の部材（アッパーケース）２２との間に両面テープ４６が介装されている。
両面テープ４６は、一方の接着面４６ａが頭部４８に接着されるとともに、他方の面４６ａがアッパーケース２２に接着されている。
これにより、両面テープ４６で第１固定ボルト４４の頭部４８がアッパーケース２２に固定されている。
【００３１】
以上、説明したスライド型携帯電子機器１０によれば、第１固定ボルト４４および第２固定ボルト４５で連結部４０を締結し、第１固定ボルト４４の頭部４７および第２固定ボルト４５の頭部４８を両面テープ４６で周部に固定した。
これにより、第１固定ボルト４４および第２固定ボルト４５が廻らないように両面テープ４６で固定することができ、第１固定ボルト４４や第２固定ボルト４５に緩みが生じにくくできる。
【００３２】
また、接着手段として両面テープ４６を用い、この両面テープ４６を頭部４７とロアカバー３１との間に介装するとともに、頭部４８とアッパーケース２２との間に介装した。
よって、両面テープ４６を頭部４７とロアカバー３１とに強固に接着するとともに、頭部４８とアッパーケース２２とに強固に接着することができる。
これにより、第１固定ボルト４４や第２固定ボルト４５を確実に固定して一層良好に緩みが生じにくくできる。
【００３３】
なお、図５の第１実施形態では、符号３２をロアケースとし、符号４１をスライドベースとした例について説明したが、符号３２をスライドベースとし、符号４１をロアケースとすることも可能である。この場合、符号３１は内部シャーシとなる。
【００３４】
つぎに、第２〜第３の実施形態を図６〜図７に基づいて説明する。なお、第２〜第３の実施形態において第１実施形態のスライド型携帯電子機器１０と同一・類似部材については同じ符号を付して説明を省略する。
【００３５】
（第２実施形態）
図６に示すように、第２実施形態のスライド型携帯電子機器５０は、接着手段として片面テープ５２を用い、第１固定ボルト４４の頭部４７と、頭部４７の周部であるスライドベース４１（詳しくは、スライドベース４１のうち頭部４７近傍の周部４１ａ）とを一括して覆うようにしたものである。
片面テープ５２は、接着面５２ａが頭部４７に接着されるとともに、他方の接着面４６ｂが周部４１ａに接着されている。
これにより、片面テープ５２で第１固定ボルト４４の頭部４７が周部４１ａに固定されている。
【００３６】
第２実施形態のスライド型携帯電子機器５０によれば、接着手段として片面テープ５２を用い、この片面テープ５２で頭部４７と周部４１ａとを一括して覆うようにした。
これにより、第１固定ボルト４４の頭部４７とスライドベース４１の周部４１ａとを片面テープ５２で固定することができ、第１固定ボルト４４に緩みが生じにくくできる。
【００３７】
また、スライド型携帯電子機器５０によれば、一枚の片面テープ５２で４本の第１固定ボルト４４の頭部４７をまとめて覆うようにすることも可能である。
このように、一枚の片面テープ５２で４本の頭部４７をまとめて覆うことで、４本の第１固定ボルト４４を一層良好に効果的に固定できる。
【００３８】
なお、図６の第２実施形態では、符号３２をロアケースとし、符号４１をスライドベースとした例について説明したが、符号３２をスライドベースとし、符号４１をロアケースとすることも可能である。この場合、符号３１は内部シャーシとなる。
【００３９】
（第３実施形態）
図７に示すように、第３実施形態のスライド型携帯電子機器６０は、ロアケース３２にスライドベース４１が第１固定ボルト６２で所定以上の力で締結されたときに第１固定ボルト６２の頭部６３が座面であるスライドベース４１が凹凸となるように歪ませたものである。
【００４０】
第３実施形態のスライド型携帯電子機器６０によれば、第１固定ボルト６２の頭部６３をスライドベース４１が凹凸となるように歪ませることで、頭部６３およびスライドベース４１間の摩擦力を増大させることができる。
これにより、第１固定ボルト４４を確実に固定することができ、一層良好に第１固定ボルト４４に緩みが生じにくくできる。
【００４１】
図７の第３実施形態では、符号３２をロアケースとし、符号４１をスライドベースとした例について説明したが、符号３２をスライドベースとし、符号４１を樹脂製のロアケースとすることも可能である。
【００４２】
また、第１固定ボルト６２の頭部６３を凹凸となるように歪ませた状態で、第１実施形態の両面テープ４６で頭部６３を固定したり、第２実施形態の片面テープ５２で頭部６３を固定することも可能である。
【００４３】
なお、本発明にかかるスライド型携帯電子機器１０は、前述した実施形態に限定されるものではなく適宜変更、改良などが可能である。
例えば、第１実施形態〜第３実施形態では、第１固定ボルト４４および第２固定ボルト４５を両面テープ４６や片面テープ５２で固定し、第１固定ボルト６２の頭部６３をスライドベース４１が凹凸となるように歪ませて固定した例について説明したが、これに限らないで、第１固定ボルト４４および第２固定ボルト４５のいずれか一方を固定することも可能である。
具体的には、片面テープにより第１固定ボルト４４の頭部４８とスライドレール４２（周部：被締結物）とを固定する形態や、両面テープで第１固定ボルト４４の頭部４８とアッパーケース２２（周部：被締結物に固定される部品の一部）とを固定する形態も本発明に含まれるものである。
【産業上の利用可能性】
【００４４】
以上のように、本発明によれば、連結部を固定する固定ボルトに緩みを生じにくくできるという効果を有し、第１筐体および第２筐体が互いに重なる閉状態と、第１筐体および第２筐体を摺動して伸長する開状態とを選択可能なスライド型携帯電子機器等として有用である。装置携帯電話機、ＰＤＡ、モバイル型のＰＣ、ノート型ＰＣなどのようなスライド可能な小型電子機器に適用するのに好適である。
【図面の簡単な説明】
【００４５】
【図１】（Ａ）は本発明の第１実施形態にかかる開状態のスライド型携帯電子機器を上方から見た斜視図、（Ｂ）は下方から見た斜視図
【図２】（Ａ）は本発明の第１実施形態にかかる閉状態のスライド型携帯電子機器を上方から見た斜視図、（Ｂ）は下方から見た斜視図
【図３】上筐体および下筐体を下筐体側から見た分解斜視図
【図４】（Ａ）は閉状態の連結部を上方から見た斜視図、（Ｂ）は開状態の連結部を上方から見た斜視図
【図５】図１（Ｂ）のＡ−Ａ線断面図
【図６】第２実施形態を示す断面図
【図７】（Ａ）は第３実施形態を示す締結前の断面図、（Ｂ）は締結後の断面図
【符号の説明】
【００４６】
１０，５０，６０  スライド型携帯電子機器
２０  上筐体（第１筐体）
２２  他の部材（アッパーケース）
３０  下筐体（第２筐体）
３１  他の部材（周部、ロアカバー）
４０  連結部
４１  スライドベース（座面）
４１ａ  周部
４２  スライドレール
４３  付勢部材
４４，６２  第１固定ボルト（ねじ）
４５  第２固定ボルト（ねじ）
４６  両面テープ（接着手段）
４７，４８，６３  頭部
５２  片面テープ（接着手段）
【図１】
2010157869.tif 000003
【図２】
2010157869.tif 000004
【図３】
2010157869.tif 000005
【図４】
2010157869.tif 000006
【図５】
2010157869.tif 000007
【図６】
2010157869.tif 000008
【図７】
2010157869.tif 000009